(57)【要約】【課題】ラップフィルム等のロール状フィルムを容易に且つ確実に切断することができ、環境に配慮した新切断方式の切断刃を提供することにある。また、環境に配慮した切断刃を備えた包装容器本体を提供すること。【解決手段】  円筒状の芯に巻かれたラップフィルムなどを必要に応じて容器から引き出し、切断する鋸状の切断刃を蓋体の前面壁の裏面に設けた包装容器において、その鋸状の切断刃のラップフィルムと接する面側に凸部設け、鋸状の切断刃の刃先を基点にラップフィルムを引っ張り方向Aと凸部方向B、両方向に引き伸ばしながら切断するようにした。【選択図】  図３
2010269815.tif 000002
【特許請求の範囲】
【請求項１】
円筒状の芯に巻かれたラップフィルム（１０）を必要に応じて引き出し切断する鋸状の切断刃（３）を蓋体（２）の前面壁の裏面に設けた包装容器（１）において、
その鋸状の切断刃（３）のラップフィルム（１０）と接する面側に凸部（５）設け、鋸状の切断刃（３）の刃先（３１）を基点にラップフィルム（１０）を引っ張り方向Aと凸部（５）方向B、両方向に引き伸ばしながら切断することを特徴とする包装容器用の切断刃及びそれを有する包装容器。
【請求項２】
鋸状の切断刃（３）が直線状であることを特徴とする請求項１に記載の包装容器用の切断刃及びそれを有する包装容器。
【請求項３】
鋸状の切断刃（３）がV字状であることを特徴とする請求項１に記載の包装容器用の切断刃及びそれを有する包装容器。
【請求項４】
鋸状の切断刃（３）が半円状であることを特徴とする請求項１に記載の包装容器用の切断刃及びそれを有する包装容器。
【発明の詳細な説明】
【技術分野】
【０００１】
本発明は、円筒状の芯に巻かれたラップフィルムを包装するための包装容器本体とその容器に設けられた鋸状の切断刃に関するものである。
【背景技術】
【０００２】
従来のラップフィルム用包装容器本体の多くは厚紙製であり、ロール状の芯に巻かれたラップフィルムを収納する容器本体と、その容器本体に一体的に設けられた蓋部とから構成される。ラップフィルムは、引き出された際、蓋部の前面壁の裏面に取り付けた鋸状の切断刃によって切断される。この種の切断刃としては、フィルムを容易に切断できるように、鋸状の直線形状のもの、切断刃の両側部から中間部にとがったＶ字状の形状のものや半円状の切断刃も有効な形状として用いられている。切断刃は、過去には、金属製のものが用いられていたが、環境問題への配慮や指を傷つけるなどの問題から、近年では紙製や樹脂製などの非金属製の切断刃が用いられている。
【０００３】
ところが、非金属製の切断刃は、金属製の切断刃と切断性を比較すると、ポリエチレン、ポリプロピレン、ナイロン、ポリ塩化ビニリデン等のフィルムの切断には大きな力を要するため、切断時に不都合を生じる場合がある。かかる点を改善するため、下記の特許文献１〜５に開示されているように、切断刃の歯の先端を鋭くしたりして切断性を向上させるとした提案がなされている。また、容器から引き出されたラップフィルムを切断刃が押圧しラップフィルムを損傷する「刃当たり」をなくすると共に、ラップフィルムがロール上へ引戻されない改良されたラップフィルム容器も提案されている。
【特許文献１】特開２００６−２１２９２号公報
【特許文献２】登録実用新案第２５４７８６８号公報
【特許文献３】実開平７−１１５２７号公報
【特許文献４】特開２００６−１８８２８５号公報
【特許文献５】特開２００８−２３９２５２号公報
【発明の開示】
【発明が解決しようとする課題】
【０００４】
しかしながら、本発明によれば、上述した特許文献１、２、３、４、で開示されている様に切断刃の各歯の先端を鋭くする技術の開示や、刃並びや配置が提案されているが切断時の使用感は不十分である。かかる状況の下、ラップフィルムを切断刃に巻きつけて、刃先面に押し当てて貫く従来の切断方式を改め、刃先点にラップフィルムを接触させることにより切断性能を向上させることが可能な非金属製の切断刃が求められている。さらに、特許文献５では、容器から引き出されたラップフィルムを切断刃が押圧しラップフィルムを損傷する「刃当たり」を課題としているが根本的な問題は解決されていない。
【０００５】
そこで、本発明の目的は、ラップフィルム等のロール状フィルムを容易に且つ確実に切断することができ、「刃当たり」を防ぐ環境に配慮した新切断方式の切断刃を提供することにある。また、環境に配慮した切断刃を備えた包装容器本体を提供することにある。
【０００６】
上記目的を達成すべく、ラップフィルム等の切断性は、直線状の形状・Ｖ字状や半円弧状の切断刃を構成する刃の寸法、刃先角度、刃間ピッチ、刃の形状等が関連し影響することは考えられるが、ラップフィルム等を如何に刃先に接触させるかが根本的な問題を解決する。
【０００７】
本発明は、ラップフィルム等で包装物を包装するための包装容器本体における蓋体の前面壁の裏面に取り付けられた、環境に配慮した、上述の形状の切断刃において、容易にラップフィルムを切断する包装容器用の切断刃及びそれを有する包装容器本体を提案することにある。
【０００８】
鋸状の切断刃は、刃がラップフィルム等に接触することによる切断開始の「突き刺し」段階と、切離し段階に分割される。従来の切断刃は切断開始時には蓋部の前面壁の裏面に取り付けた鋸状の切断刃側にラップフィルムが巻き付くことで刃先面にラップフィルムが押し当てられ、切断時の突き刺しに力を要することになるが、本発明の切断刃は、切断刃にと凸部を設け、フィルムと切断刃との間に隙間を生じさせ、ラップフィルムが切断刃に接触することをなくすことで、切断刃の刃先が点でラップフィルム等に接触する。したがって切断開始時にラップフィルムを容易に突き刺し、円滑にラップフィルムを切離すことが可能となる。
【０００９】
このように、ラップフィルムを切断刃に巻きつけて、刃先面に押し当てて、引っ張り方向Aにラップフィルムを伸ばしながら貫く、従来の切断方式では切断時の突き刺しに力を要することになるが、新切断方式では、ラップフィルムは、切断刃の刃先点を基点に凸部方向Bと、引っ張り方向Aの両方向に引き伸ばされ、フィルムを貫くことが可能になり、切断開始の「突き刺し」段階の突き刺し力を向上させ、円滑にラップフィルムを切離すことが可能となる。
【００１０】
結果、本発明の切断刃を包装容器本体に接着し、切断性に優れた包装容器を提供することができる。
【課題を解決するための手段】
【００１１】
本発明は、円筒状の芯に巻かれたラップフィルム（１０）を必要に応じて引き出し切断する鋸状の切断刃（３）を蓋体（２）の前面壁の裏面に設けた包装容器（１）において、その鋸状の切断刃（３）のラップフィルム（１０）と接する面側に凸部（５）設け、鋸状の切断刃（３）の刃先（３１）を基点にラップフィルム（１０）を引っ張り方向Aと凸部（５）方向B、両方向に引き伸ばしながら切断することを特徴とする包装容器用の切断刃及びそれを有する包装容器を要旨としている。
【発明の効果】
【００１２】
本発明の切断刃及び包装容器本体においては、容易にラップフィルムを切断することが可能になり、したがって切断刃の耐久性を向上させることで、包装容器本体の耐久性も向上させることができる。また、刃先を過度に鋭利にする必要性がなく、切断刃自体の耐久性の向上が可能であり、刃先で指を傷つけることもなく、「刃当たり」でラップフィルムを傷つけるなどの無駄をなくす効果がある。  
【発明を実施するための最良の形態】
【００１３】
図１は、本発明に係る包装容器本体の斜視図である。円筒状の芯に巻かれたラップフィルム（１０）を収納する容器本体（１）には蓋体（２）が設けられ、蓋体（２）の前面壁の裏面にはラップフィルム（１０）を必要に応じて引き出した際に切断する鋸状の切断刃（３）が設けられ、使用の際には、鋸状の切断刃（３）の刃先（３１）は、蓋体（２）からむき出しになっている。本実施形態では、蓋体（２）前面壁は、中央部に向かってやや下方に突出するＶ字状の形状で、これに合わせて鋸状の切断刃（３）もＶ字状となっている。
【００１４】
尚、本発明の容器本体は、必ずしも上述した実施形態のものに限定されない。その趣旨を逸脱しない範囲で変更が可能である。例えば、包装容器本体（１）は、蓋体を閉じた状態で直方体形状に限られず、立方体形状や円筒体形状など他の形状であってもよい。
【００１５】
図２は、本発明に係る鋸状の切断刃（３）の正面図である。この実施例では、鋸状の切断刃（３）は、中央部に向かってやや上方に突出するＶ字状の形状で、鋸状の切断刃（３）には、刃先（３１）と断面半円状の凸部（５）が設けられている。凸部（５）の断面形状は、三角錐状、角状など本発明の要旨を逸脱しない形状であれば変更が可能である。また、この実施例では、切断刃（３）の表面壁に直線状に凸部（５）を設けているが、例えば、Ｖ字状の切断刃（３）の頂部の基にのみ凸部（５）を設けること、また、点線上に不連続に設けることや、切断刃（３）の形状に沿って凸部（５）を配置してもよい。さらに、表面を押し上げて浮かせるエンボス加工・クレープ加工により凸部（５）を構成してもよい。
【００１６】
図３は、本発明に係る鋸状の切断刃（３）の断面図で、ラップフィルム（１０）を切断するメカニズムを説明する図である。図 (a）は、本発明の切断刃（３）の断面図。図（b)は、従来型の切断刃の断面図である。      
【００１７】
図 (a）本発明の切断刃（３）では、ラップフィルム（１０）を容器本体（１）から引き出した際、凸部（５）により、切断刃（３）の刃先（３１）と凸部（５）頂部との間にスペース（２０）が作り出される。スペース（２０）の効果により、切断刃（３）の刃先（３１）を基点に、ラップフィルム（１０）を引っ張り方向Aと凸部（５）方向B、両方向に引き伸ばしながら切断するので効率よく切り離すことが可能になった。従来型の切断刃、図（b)の場合には、引っ張り方向Aに力が集約されるためにより多くの力が必要であった。なお、本発明は、被包装物、例えば、円筒状の芯に巻かれたアルミ箔やクッキングペーパーシート類を収納する容器としても利用が可能である。
【図面の簡単な説明】
【００１８】
【図１】本発明に係る包装容器本体の斜視図である。
【図２】本発明に係る鋸状の切断刃（３）の正面図である。
【図３】本発明に係る鋸状の切断刃（３）の断面図で、ラップフィルム（１０）を切断するメカニズムを説明する図である。図 (a）は、本発明の切断刃（３）の断面図。図（b)は、従来型の切断刃の断面図である。
【符号の説明】
【００１９】
１    容器本体
２    蓋体
３    切断刃    
５    凸部
１０  ラップフィルム
２０  スペース
３１  刃先    
【図１】
2010269815.tif 000003
【図２】
2010269815.tif 000004
【図３】
2010269815.tif 000005